【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
画像形成装置と外部サーバが連携して印刷ジョブを処理する画像処理システムであって、
前記画像形成装置は、
ホストコンピュータから受信した印刷ジョブを前記外部サーバに転送する転送手段と、
前記印刷ジョブの前記外部サーバでの処理の終了時間を前記外部サーバに要求し、該要求に応じて前記外部サーバから返信される前記終了時間を受信する終了時間取得手段と、
前記終了時間が経過した後に、前記外部サーバに前記印刷ジョブの処理済のデータを要求し、該要求に応じて前記外部サーバから返信される前記処理済のデータを受信する処理済データ取得手段と、
前記処理済のデータを印刷処理する印刷手段とを有し、
前記外部サーバは、
前記画像形成装置から印刷ジョブを受信する受信手段と、
前記受信手段が受信した前記印刷ジョブに応じた処理を行う処理手段と、
前記画像形成装置からの要求に応じて前記受信手段が受信した印刷ジョブの前記処理手段での処理の終了時間を算出して前記画像形成装置に返信する終了時間算出手段と、
前記画像形成装置からの要求に応じて前記処理手段が処理した印刷ジョブの処理済データを前記画像形成装置に返信する処理済データ送信手段とを有する、
ことを特徴とする画像処理システム。
【請求項２】
前記画像形成装置は、前記印刷ジョブの種類によって前記印刷ジョブに含まれる画像処理を自身で行うか前記印刷ジョブを前記外部サーバに転送するかを判断する印刷ジョブ判断手段を有し、
前記転送手段は、前記印刷ジョブ判断手段により前記印刷ジョブを前記外部サーバに転送すると判断された場合に、前記印刷ジョブを前記外部サーバに転送することを特徴とする請求項１に記載の画像処理システム。
【請求項３】
前記画像形成装置の通信手段が第１印刷ジョブの終了時間に基づくスリープ状態において新たな印刷ジョブである第２印刷ジョブを受信した場合、前記画像形成装置をスリープ状態から復帰させ、
前記転送手段は、前記第２印刷ジョブを該第２印刷ジョブの識別子とともに前記外部サーバに転送し、
前記終了時間取得手段は、再度、前記外部サーバに要求して前記第１印刷ジョブの終了時間を受信し、
前記画像形成装置は、前記受信した前記第１印刷ジョブの終了時間だけスリープ状態に遷移することを特徴とする請求項１又は２に記載の画像処理システム。
【請求項４】
前記画像形成装置の通信手段が第１印刷ジョブの終了時間に基づくスリープ状態において新たな印刷ジョブである第２印刷ジョブを受信した場合、前記画像形成装置をスリープ状態から復帰させ、
前記転送手段は、前記第２印刷ジョブを該第２印刷ジョブの識別子とともに前記外部サーバに転送し、
前記通信手段は、前記第１印刷ジョブの終了時間の残り時間だけ前記画像形成装置をスリープ状態に遷移させることを特徴とする請求項１又は２に記載の画像処理システム。
【請求項５】
画像形成装置と外部サーバが連携して印刷ジョブを処理する画像処理システムであって、
前記画像形成装置は、
ホストコンピュータから受信した印刷ジョブの識別子を用いて、前記印刷ジョブの前記外部サーバでの処理の終了時間を前記外部サーバに要求し、該要求に応じて前記外部サーバから返信される前記終了時間を受信する終了時間取得手段と、
前記終了時間が経過した後に、印刷ジョブの識別子を用いて、前記外部サーバに前記印刷ジョブの処理済のデータを要求し、該要求に応じて前記外部サーバから返信される前記処理済のデータを受信する処理済データ取得手段と、
前記処理済のデータを印刷処理する印刷手段とを有し、
前記外部サーバは、
ホストコンピュータから印刷ジョブと該印刷ジョブの識別子を受信する受信手段と、
前記受信手段が受信した前記印刷ジョブに応じた処理を行う処理手段と、
前記画像形成装置からの要求に応じて前記受信手段が受信した印刷ジョブの前記処理手段での処理の終了時間を算出して前記画像形成装置に返信する終了時間算出手段と、
前記画像形成装置からの要求に応じて前記処理手段が処理した印刷ジョブの処理済データを前記画像形成装置に返信する処理済データ送信手段とを有する、
ことを特徴とする画像処理システム。
【請求項６】
前記画像形成装置の通信手段が第１印刷ジョブの終了時間に基づくスリープ状態において新たな印刷ジョブである第２印刷ジョブの識別子を受信した場合、前記通信手段は、内部の記憶手段に前記第２印刷ジョブの識別子を格納し、前記終了時間が経過する前に前記画像形成装置をスリープ状態から復帰させないことを特徴とする請求項５に記載の画像処理システム。
【請求項７】
前記終了時間算出手段は、印刷ジョブのページ数、及び、処理種類から前記終了時間を算出することを特徴とする請求項１乃至６のいずれか１項に記載の画像処理システム。
【請求項８】
前記画像形成装置は、前記終了時間の値をタイマーに設定し、該タイマーに設定した時間の経過後にスリープ状態から復帰することを特徴とする請求項１乃至７のいずれか１項に記載の画像処理システム。
【請求項９】
前記画像形成装置は、スリープ遷移処理を行う前に、前記終了時間を、前記ホストコンピュータに対して通知する終了時間通知手段を有することを特徴とする請求項１乃至８のいずれか１項に記載の画像処理システム。
【請求項１０】
前記画像形成装置は、前記終了時間取得手段で受信した終了時間と予め設定されている閾値とを比較する比較手段を有し、
前記画像形成装置は、前記比較手段での比較の結果、前記終了時間が前記閾値を超える場合にはスリープ状態に遷移し、一方、前記終了時間が前記閾値を超えない場合にはスリープ状態に遷移しないことを特徴とする請求項１乃至９のいずれか１項に記載の画像処理システム。
【請求項１１】
外部サーバと連携して印刷ジョブを処理する画像形成装置であって、
ホストコンピュータから受信した印刷ジョブを前記外部サーバに転送する転送手段と、
前記印刷ジョブの前記外部サーバでの処理の終了時間を前記外部サーバに要求し、該要求に応じて前記外部サーバから返信される前記終了時間を受信する終了時間取得手段と、
前記終了時間が経過した後に、前記外部サーバに前記印刷ジョブの処理済のデータを要求し、該要求に応じて前記外部サーバから返信される前記処理済のデータを受信する処理済データ取得手段と、
前記処理済のデータを印刷処理する印刷手段と、
を有することを特徴とする画像形成装置。
【請求項１２】
外部サーバと連携して印刷ジョブを処理する画像形成装置であって、
ホストコンピュータから受信した印刷ジョブの識別子を用いて、前記印刷ジョブの前記外部サーバでの処理の終了時間を前記外部サーバに要求し、該要求に応じて前記外部サーバから返信される前記終了時間を受信する終了時間取得手段と、
前記終了時間が経過した後に、印刷ジョブの識別子を用いて、前記外部サーバに前記印刷ジョブの処理済のデータを要求し、該要求に応じて前記外部サーバから返信される前記処理済のデータを受信する処理済データ取得手段と、
前記処理済のデータを印刷処理する印刷手段と、
を有することを特徴とする画像形成装置。
【請求項１３】
画像形成装置と外部サーバが連携して印刷ジョブを処理する画像処理システムにおける制御方法であって、
前記画像形成装置が、
ホストコンピュータから受信した印刷ジョブを前記外部サーバに転送する転送ステップと、
前記印刷ジョブの前記外部サーバでの処理の終了時間を前記外部サーバに要求し、該要求に応じて前記外部サーバから返信される前記終了時間を受信する終了時間取得ステップと、
前記終了時間が経過した後に、前記外部サーバに前記印刷ジョブの処理済のデータを要求し、該要求に応じて前記外部サーバから返信される前記処理済のデータを受信する処理済データ取得ステップと、
前記処理済のデータを印刷処理する印刷ステップとを実行し、
前記外部サーバが、
前記画像形成装置から印刷ジョブを受信する受信ステップと、
前記受信ステップで受信した前記印刷ジョブに応じた処理を行う処理ステップと、
前記画像形成装置からの要求に応じて前記受信ステップで受信した印刷ジョブの前記処理ステップでの処理の終了時間を算出して前記画像形成装置に返信する終了時間算出ステップと、
前記画像形成装置からの要求に応じて前記処理ステップで処理した印刷ジョブの処理済データを前記画像形成装置に返信する処理済データ送信ステップとを実行する、
ことを特徴とする制御方法。
【請求項１４】
画像形成装置と外部サーバが連携して印刷ジョブを処理する画像処理システムにおける制御方法であって、
前記画像形成装置が、
ホストコンピュータから受信した印刷ジョブの識別子を用いて、前記印刷ジョブの前記外部サーバでの処理の終了時間を前記外部サーバに要求し、該要求に応じて前記外部サーバから返信される前記終了時間を受信する終了時間取得ステップと、
前記終了時間が経過した後に、印刷ジョブの識別子を用いて、前記外部サーバに前記印刷ジョブの処理済のデータを要求し、該要求に応じて前記外部サーバから返信される前記処理済のデータを受信する処理済データ取得ステップと、
前記処理済のデータを印刷処理する印刷ステップとを実行し、
前記外部サーバが、
ホストコンピュータから印刷ジョブと該印刷ジョブの識別子を受信する受信ステップと、
前記受信ステップで受信した前記印刷ジョブに応じた処理を行う処理ステップと、
前記画像形成装置からの要求に応じて前記受信ステップで受信した印刷ジョブの前記処理ステップでの処理の終了時間を算出して前記画像形成装置に返信する終了時間算出ステップと、
前記画像形成装置からの要求に応じて前記処理ステップで処理した印刷ジョブの処理済データを前記画像形成装置に返信する処理済データ送信ステップとを実行する、
ことを特徴とする制御方法。
【請求項１５】
コンピュータを、請求項１１または１２に記載の画像形成装置の手段として機能させるためのプログラム。
【手続補正２】
【補正対象書類名】明細書
【補正対象項目名】００１１
【補正方法】変更
【補正の内容】
【００１１】
本発明は、画像形成装置と外部サーバが連携して印刷ジョブを処理する画像処理システムであって、前記画像形成装置は、ホストコンピュータから受信した印刷ジョブを前記外部サーバに転送する転送手段と、前記印刷ジョブの前記外部サーバでの処理の終了時間を前記外部サーバに要求し、該要求に応じて前記外部サーバから返信される前記終了時間を受信する終了時間取得手段と、前記終了時間が経過した後に、前記外部サーバに前記印刷ジョブの処理済のデータを要求し、該要求に応じて前記外部サーバから返信される前記処理済のデータを受信する処理済データ取得手段と、前記処理済のデータを印刷処理する印刷手段とを有し、前記外部サーバは、前記画像形成装置から印刷ジョブを受信する受信手段と、前記受信手段が受信した前記印刷ジョブに応じた処理を行う処理手段と、前記画像形成装置からの要求に応じて前記受信手段が受信した印刷ジョブの前記処理手段での処理の終了時間を算出して前記画像形成装置に返信する終了時間算出手段と、前記画像形成装置からの要求に応じて前記処理手段が処理した印刷ジョブの処理済データを前記画像形成装置に返信する処理済データ送信手段とを有する、ことを特徴とする。